(57)【要約】【課題】優れた美観を有し、作業性も良好な折版屋根用面戸を提供する。【解決手段】折版屋根用面戸２は、折版屋根１の軒先に取り付けられる折版屋根用面戸２であって、折版屋根１の折版部材１０と外壁９０（又は下地材）との隙間を閉塞する閉塞部２０と、閉塞部２０の下方にあって閉塞部２０と一体に形成される水切り部２１と、を備えており、この水切り部２１の下縁近傍には、正面側に水返し形状２１０が形成されている。水返し形状２１０は、外向きの凸形状に形成することができる。【選択図】図１
0003209118.tif 000002
【実用新案登録請求の範囲】
【請求項１】
折版屋根の軒先に取り付けられる折版屋根用面戸であって、
前記折版屋根と外壁又は下地材との隙間を閉塞する閉塞部と、
前記閉塞部の下方にあって前記閉塞部と一体に形成される水切り部と、を備え、
前記水切り部の下縁近傍には、正面側に水返し形状が形成されている、折版屋根用面戸。
【請求項２】
前記水返し形状は、外向きの凸形状に形成されている、請求項１に記載された折版屋根用面戸。
【請求項３】
外向きの凸形状に形成された前記水返し形状は、上辺と下辺とを有し、前記下辺は、内向きの上り勾配に形成されている、請求項２に記載された折版屋根用面戸。
【請求項４】
外向きの凸形状に形成された前記水返し形状の末端は、前記水切り部の上部の位置と比べて、軒方向にみて外側にあるか、又は、同じ位置となるように形成されている、請求項２又は請求項３に記載された折版屋根用面戸。
【考案の詳細な説明】
【技術分野】
【０００１】
本考案は、折版屋根の軒先に装着される折版屋根用面戸に関するものである。
【背景技術】
【０００２】
従来から、折版で屋根を形成した「折版屋根」（又は「金属製折板屋根」）が用いられている。折版（折板）で屋根を形成する場合、軒先に折版の断面形に相当する富士山状の開口部が残る。この開口部を放置すると風雨や鳥虫が室内に侵入するため、これを塞ぐことが必要である。このような開口部をふさぐ部品を「折版屋根用面戸」（又は「水切面戸」）という。
【０００３】
折版屋根用面戸の形状は、開口部に対応させて富士山形であることが多い。また、横方向に連続させた、１山のもの、２山、３山のものなども用いられている。この折版屋根用面戸では、雨水の浸入防止が問題とされることが多い。例えば、特許文献１には、正面下部に水切り部が設けられた換気面戸が開示されており、雨水の軒裏への浸入を遮断する考案が開示されている。
【先行技術文献】
【特許文献】
【０００４】
【特許文献１】実開平３−７５２２５号公報
【考案の概要】
【考案が解決しようとする課題】
【０００５】
しかしながら、従来の折版屋根用面戸では、連続して面戸を折版屋根の軒下にビスで固設して行く際に、隣接する面戸の一方の端部しか固定されていない状態で重ねてビス止めしていくため、作業中に他方の端部が下方に下がろうとして、固設作業（ビス止め）がしにくかった。
【０００６】
また水返し水切り部が内方に折り曲げられているため、折版屋根の構造材に面戸を固設しようとした時、ぴったりと構造材に接しない（折り曲げ部が原因）ため歪んで取り付けられ、作業上も美観上も良くなかった。
【０００７】
そこで、本考案は、優れた美観を有し、作業性も良好な折版屋根用面戸を提供することを課題としている。
【課題を解決するための手段】
【０００８】
本考案は、折版屋根の軒先に取り付けられる折版屋根用面戸であって、前記折版屋根と外壁又は下地材との隙間を閉塞する閉塞部と、前記閉塞部の下方にあって前記閉塞部と一体に形成される水切り部と、を備え、前記水切り部の下縁近傍には、正面側に水返し形状が形成されている。
【考案の効果】
【０００９】
本考案の折版屋根用面戸は、折版屋根と外壁又は下地材との隙間を閉塞する閉塞部と、閉塞部の下方にあって閉塞部と一体に形成される水切り部と、を備え、水切り部の下縁近傍には、正面側に水返し形状が形成されている。このような構造であれば、優れた美観を有し、作業性も良好な折版屋根用面戸となる。
【図面の簡単な説明】
【００１０】
【図１】折版屋根用面戸を含む折版屋根の全体構造を説明する斜視図である。
【図２】折版屋根用面戸を含む折版屋根の断面図である。
【図３】折版屋根用面戸の水返し形状の拡大図である。（ａ）は従来の水返し形状であり、（ｂ）は本考案で提案する水返し形状である。
【図４】折版屋根の傾斜角度と折版屋根用面戸の角度について説明する説明図である。
【考案を実施するための形態】
【００１１】
以下、本考案の実施の形態について図面を参照して説明する。ただし、以下の実施の形態に記載されている構成要素は例示であり、本考案の技術範囲をそれらのみに限定する趣旨のものではない。図１〜図４において、同一個所にはそれぞれ同一の符号を付して、それらの説明を省略する。
【実施例】
【００１２】
以下に説明する本考案の折版屋根用面戸２を含む折版屋根１は、他の形式の屋根に比べて長くすることが可能である。したがって、体育館や展示場などの大きなスパンが必要な建物で有効な工法となっている。
【００１３】
（構成）
まず、図１、図２を用いて、折版屋根用面戸２を含む折版屋根１の全体構成を説明する。折版屋根１は、梁８の上に立設された台形状のタイトフレーム３と、タイトフレーム３の上に設置された折版部材１０と、軒先に形成される折版部材１０の断面系に相当する富士山状（台形状）の開口部を塞ぐための折版屋根用面戸２と、によって主に構成されている。
【００１４】
折版屋根１の折版部材１０の固定方法としては、重ね式折板、馳（ハゼ）式折板、嵌合式折板がある。これら３つの固定方法のいずれであっても本考案の折版屋根用面戸２を適用することができる。
【００１５】
そして、本考案の折版屋根用面戸２は、折版屋根１の折版部材１０と外壁９０（又は下地材）との隙間を閉塞する閉塞部２０と、閉塞部２０の下方にあって閉塞部２０と一体に形成される水切り部２１と、折版部材１０に沿うように折曲形成されるカラー部２２と、を備えている。なお、折版屋根用面戸としては、本実施例で説明するような閉塞部２０を１つ有する１山型のもの他に、２山型、３山型のものにも、本考案を適用することができる。
【００１６】
閉塞部２０は、折版屋根用面戸２の本体をなす富士山型（台形）の部材であり、折版部材１０の内側面に当接するように設置されて、風雨の小屋裏への浸入を防止する。図示しないが、閉塞部２０には、通気のためのルーバー等を設けることもできる。
【００１７】
水切り部２１は、閉塞部２０の下方の部分を外向きに折り曲げて形成される。水切り部２１は、閉塞部２０によって浸入を防いだ雨水や結露水を、小屋裏に浸入させることなく、雨樋（不図示）内に誘導する機能を有している。このため、水切り部２１の下縁近傍には、水返し形状２１０が形成されている。
【００１８】
そして、本考案の水返し形状２１０は、背面側ではなく正面側に形成されている。すなわち、図３（ａ）に示すように、従来のＵ字型の水返し形状は、背面側に折り曲げて形成されていた。このため、水返し形状が背面側に突出することになり、折版屋根用面戸を壁に取り付けた際に壁から少し浮いてしまい、全体が傾斜してしまうという問題があった。さらに、Ｕ字型の折り返しは、金型プレスでは製造できないため製造しにくかった。
【００１９】
これに対して、本考案の水返し形状２１０は、図３（ｂ）に示すように、正面側に形成されている。このため、水返し形状２１０が背面側に突出することはなく、折版屋根用面戸２を壁に取り付けた際に壁から浮かず、その点で外観が良好になる。
【００２０】
なお、水返し形状２１０の形状は、図３（ｂ）に示した三角形状に限定されるものではなく、半円弧状であってもよいし、下辺側が全体としえ内向きの昇り勾配になっていれば、どのような形状であってもよい。ただし、水返し形状の末端は、水切り部２１の上部の位置と比べて軒方向にみて外側にあるか、又は、同じ位置となるように形成されることが好ましい。
【００２１】
また、水返し形状２１０は、外向きの凸形状に形成されており、上辺２１０ａと下辺２１０ｂとを有している。すなわち、面外方向にみた二重の重なり部分は、末端に近い下辺２１０ｂのみであり、全体としてほとんどない。このように、水返し形状２１０が外向きの凸形状に形成されることで、折版屋根用面戸２の取り付けの際に、２枚の折版屋根用面戸２、２を片手で保持できるため施工性が良好にある。さらに、凸形状であれば、金型プレスによって製造できないといった問題もなく、製造しやすい。
【００２２】
また、水返し形状２１０の下辺２１０ｂが、内向きの昇り勾配に形成されていることで、雨水が水返し形状２１０の先端近傍から下方に滴るようにされている。すなわち、閉塞部２０及び水切り部２１で遮断された雨水は、重力によって下方に流れて水切り部２１の水返し形状２１０まで達する。そうすると、雨水は上辺２１０ａを先端に向かって（すなわち外向きに）流れていく。そして、水返し形状２１０の先端まで達すると、下辺２１０ｂ側に流れることなく、下方に滴り落ちることになる。
【００２３】
カラー部２２は、折版部材１０に沿うように配置されるものであり、施工の際には折版屋根用面戸２を嵌め込む際のガイドとなる。このため、側面側のカラー部２２は、上辺が斜めに切り落とされてテーパ状に形成されている。さらに、図４（ａ）、（ｂ）に示すように、上面側のカラー部２２の閉塞部２０に対する傾斜角度は、略垂直であってもよいし、傾斜していてもよい。すなわち、折版屋根１の屋根勾配によって、上面側のカラー部２２の傾斜角度は変えることができる。
【００２４】
（施工手順）
折版屋根１の施工手順は、以下の通りである。
（１）0.6&#12316;1.2mmの鋼板を用いてロール成型機によって折版（折板）を成型加工する。
（２）2m&#12316;6mの間隔の折版の流れ方向に直行した梁の上に固定用のフレーム（タイトフレーム）を鉄骨に溶接する。
（３）タイトフレームの上に折版をのせ、ボルトや金具（吊子）で緊定する。
（４）外壁９０（又は下地材）の外面に折版屋根用面戸２をタッピングネジ９１などによって固定する。
【００２５】
このうち、折版屋根用面戸２をタッピングネジ９１などによって固定するステップでは、例えば右側から１枚ずつ折版屋根用面戸２を固定していく。固定作業は、２枚の折版屋根用面戸２が重なり合った部分を２枚同時にタッピングネジ９１などによって外壁９０に固定していく。その際、本考案の折版屋根用面戸２であれば、水返し形状２１０を重ね合わせておけば、一方を保持することで他方も保持することが出来る。すなわち、２枚の折版屋根用面戸２を片手で保持できる。
【００２６】
（作用・効果）
次に、本実施例の折版屋根用面戸２が奏する効果を列挙して説明する。
【００２７】
（１）上述してきたように、本考案の折版屋根用面戸２は、折版屋根１の軒先に取り付けられる折版屋根用面戸２であって、折版屋根１の折版部材１０と外壁９０（又は下地材）との隙間を閉塞する閉塞部２０と、閉塞部２０の下方にあって閉塞部２０と一体に形成される水切り部２１と、を備えており、この水切り部２１の下縁近傍には、正面側に水返し形状２１０が形成されている。このような構成であれば、優れた美観を有し、作業性も良好な折版屋根用面戸２となる。
【００２８】
（２）また、水返し形状２１０は、外向きの凸形状に形成されていることにより、２つの折版屋根用面戸２、２を片手で保持できるため、作業性が良好になる。
【００２９】
（３）さらに、外向きの凸形状に形成された水返し形状２１０は、上辺２１０ａと下辺２１０ｂとを有し、下辺２１０ｂは、内向きの上り勾配に形成されていることにより、雨水や結露水が外壁９０に接触することなく、水返し形状２１０の先端から下方に滴り落ちるようになる。
【００３０】
（４）また、外向きの凸形状に形成された水返し形状２１０の末端は、水切り部２１の上部の位置と比べて、軒方向にみて外側にあるか、又は、同じ位置となるように形成されていることにより、水返し形状２１０が外壁９０に接触することを防止するとともに、雨水や結露水が外壁９０に接触することを防止できる。
【００３１】
以上、図面を参照して、本考案の実施例を詳述してきたが、具体的な構成は、この実施例に限らず、本考案の要旨を逸脱しない程度の設計的変更は、本発明に含まれる。
【００３２】
例えば、実施例では、閉塞部２０と水切り部２１は、同一面を構成するものとして説明したが、これに限定されるものではなく、段違いに構成されていてもよい。例えば、閉塞部２０よりも水切り部２１が一段控えたような形状であっても本考案を適用することができる。
【符号の説明】
【００３３】
１          折版屋根
２          折版屋根用面戸
２０        閉塞部
２１        水切り部
２１０      水返し形状
２１０ａ    上辺
２１０ｂ    下辺
２２        カラー部
３          タイトフレーム
８          梁
１０        折版部材
９０        外壁
【図１】
0003209118.tif 000003
【図２】
0003209118.tif 000004
【図３】
0003209118.tif 000005
【図４】
0003209118.tif 000006